(57)【要約】【課題】屋根に上ることなく、安全に除雪することができ、容易に取り扱うことができ、作業者の負担を軽減することのできる雪降ろし具を提供する。【解決手段】フレーム１と、フレーム１の上端の略中央部に接続された柄２と、フレーム１の下端に支持されたシート部材３と、フレーム１の下端に備えられた１対の車輪４と、を有する雪降ろし具１０によって、切り取られた雪はシート部材３に沿って滑り落ちる。屋根に上ることなく雪を降ろすことができ、作業者の負担を軽減し、安全に除雪をすることができる。【選択図】図１
0003120880.tif 000002
【実用新案登録請求の範囲】
【請求項１】
フレームと、
前記フレームの上端の略中央部に接続された柄と、
前記フレームの下端に支持されたシート部材と、
前記フレームの下端両側に備えられた１対の車輪と、
を有することを特徴とする雪降ろし具。
【請求項２】
前記フレームの上端は、その中央部が屈折してなることを特徴とする請求項１記載の雪降ろし具。
【請求項３】
前記柄には、間接部が備えられ、
前記柄の屈折角度を調節して固定することを特徴とする請求項１又は２記載の雪降ろし具。
【請求項４】
前記柄には、長さ調整部が備えられ、
前記柄の長さを調節して固定することを特徴とする請求項１から３のいずれか記載の雪降ろし具。
【請求項５】
前記フレーム及び前記柄は、グラスファイバーによって形成されていることを特徴とする請求項１から４のいずれか記載の雪降ろし具。
【考案の詳細な説明】
【技術分野】
【０００１】
本考案は、積雪時に、屋根等の高い場所の雪を降ろすための雪降ろし具であって、特に、作業員が屋根等に上ることなく、雪を降ろすことができる雪降ろし具に関する。
【背景技術】
【０００２】
周知のように、積雪地帯において除雪作業は多大な労力と時間を要する作業である。特に、建物の屋根等に大量に降り積もった雪や、軒先にできた氷柱を落とす作業は、多量の雪による負担が大きいばかりでなく、高所作業による危険を伴うものである。
【０００３】
従来より、建物の屋根等に積もった雪を取り除くためには、作業者が屋根に上がり、屋根上を移動しながらスコップ等で端から雪を切り取って落とす雪降ろしが一般的に行われている。屋根の上で、積み重なって重くなった雪をスコップで切り落とす作業には多大な労力を必要とする。また、雪で滑りやすくなっている屋根の上で重いスコップを扱う作業は、作業者が落下する危険を伴う。さらに、屋根の上に金属製のスコップを突き立てることにより、屋根の表面に損傷を与える恐れがある。
【０００４】
そこで、屋根等に上ることなく、雪降ろし作業ができる雪降ろし具が考案されている。
【０００５】
例えば、特許文献１に記載の雪降ろし具は、柄に角度調整部及び長さ調整部を設け、雪降ろし具の角度と長さを調節できるような構成にしたから、柄を長く伸ばすことにより、地上から屋根の上の雪を降ろすことができ、また、角度を調節することにより、雪降ろしをする場所に適した角度を設定して使用することができる。さらに、雪降ろし板周側辺の一部には軟質プラスチック製エッジを装着したから、屋根に傷をつけることなく雪降ろしをすることができる。
【０００６】
しかしながら、特許文献１に開示された雪降ろし具は、屋根の積雪部分に先端の雪降ろし板を振り下ろして食い込ませ、手前に引き寄せることで、雪を降ろすことができるものであり、アルミニウム等の軽い素材で作成された雪降ろし具であっても、雪を引き寄せる際には雪の重み分の力がかかり、大きな労力を要する。また、屋根の上方の雪を降ろすためには、柄を伸ばしてできるだけ上の方に雪降ろし板を振り下ろす必要があり、特に背の高くない高齢者や女性にとっては、負担が大きい、等の問題がある。
【０００７】
この問題を解決すべく、軒先から屋根に向けて雪降ろし具を押し上げることによって雪降ろしをすることができる雪降ろし具が考案されている。
【０００８】
例えば、特許文献２に記載の雪降ろし具は、伸縮自在の柄の先端に平板状の雪切り板を取着し、雪切り板両側端からは雪切り縦板を立設し、両雪切り縦板上端前部を支軸としてダンパーを遊嵌し、雪切り板先端部にはダンパー係止用ストッパーを取着したものである。この雪降ろし具を軒先より屋根に向けて押し上げると、雪は雪切り板で下面を切り取られ、雪切り縦板で左右側面を切り取られる。ダンパーは雪で押し上げられて開いた状態を保ちながら進み、雪降ろし具を手前に引いて逆行させるとダンパーは雪の抵抗で元の状態に戻る。切り取られた雪がダンパーで引かれて落下することにより、雪降ろしをすることができる。
【０００９】
また、特許文献３に記載の雪降ろし具は、雪を取り入れる雪取入れ口と雪を排出する雪排出口とを有する直方形の除雪用筐体と、その除雪用筐体を支持する支持棒と、除雪用筐体の雪排出口に取り付けられ他所へ雪塊を案内移送するための雪滑走筒体とを備え、除雪用筐体の雪取入れ口上方には、除雪用筐体を真っ直ぐ案内移動するための張り出し部が延設され雪取入れ口の下方が半円形状に切除形成されたものである。この雪降ろし具を使用する際には、作業者は、地上から支持棒を掴んで除雪用筐体の雪取入れ口を軒先の雪の断面に押し当て、上方に押し進める。そうすると、軒先の雪は雪取入れ口から除雪用筐体内に順次取り込まれていき、雪柱状になって雪滑走筒体内に取り込まれ、ある程度の長さになったところで作業者が支持棒を下方に引くことで雪柱が切断され、塊となって雪滑走筒体内を滑走落下する。雪塊は、雪滑走筒体に案内されて落下するので、雪塊が作業者に直接当たる危険がない。
【００１０】
【特許文献１】登録実用新案第３０５９０４１号公報
【特許文献２】特開平１０−２５２０２９号公報
【特許文献３】登録実用新案第３０５７１５６号公報
【考案の開示】
【考案が解決しようとする課題】
【００１１】
しかしながら、特許文献２に開示された雪降ろし具は、平板状の雪切り板を屋根に向けて押し上げるものであるため、平坦な屋根にしか用いることができず、また、雪切り板が屋根と平行に近い角度で押し上げる必要があり、その取り扱いは容易とはいえない。また、雪降ろし具本体は、３枚の雪切り板とダンパーを有する構造のため、雪降ろし具自体が重いものとなる。さらに、切り取られた雪は、縦切り板で分割され、雪切り板の端から落下するが、自然に落下するためどこに落下してくるかわからず、作業者にぶつかる危険がある、等の問題がある。
【００１２】
また、特許文献３に開示された雪降ろし具は、４面を覆われた筐体に雪を取り入れるため、硬くなった雪が途中でつまってしまう可能性がある。途中で詰まった雪を取り除くために、雪降ろし具自体を地上に降ろしてメンテナンスする必要もあり、雪降ろし作業以外の余計な作業を強いられることとなる。また、上述した特許文献２に記載の雪降ろし具と同様に、雪降ろし具本体が複雑な構造をしているため、雪降ろし具自体が重いものとなってしまう、等の問題がある。
【００１３】
本考案は、以上の点に鑑みてなされたものであり、その目的は、屋根に上ることなく、安全に除雪することができ、容易に取り扱うことができ、作業者の負担を軽減することのできる雪降ろし具を提供することにある。
【課題を解決するための手段】
【００１４】
以上のような課題を解決するために、本考案は、以下のものを提供する。
【００１５】
（１）  フレームと、前記フレームの上端の略中央部に接続された柄と、前記フレームの下端に支持されたシート部材と、前記フレームの下端両側に備えられた１対の車輪と、を有することを特徴とする雪降ろし具。
【００１６】
本考案によれば、フレームと、フレームの上端の略中央部に接続された柄と、フレームの下端に支持されたシート部材と、フレームの下端両側に備えられた１対の車輪と、を有することとしたので、屋根に上ることなく雪を降ろすことができ、作業者の負担を軽減し、安全に除雪をすることができる。
【００１７】
すなわち、本考案に係る雪降ろし具を、軒先から屋根に向けて押し上げると、屋根の上の雪はフレームによって切り取られてシート部材の上に乗って落下するため、屋根に上ることなく除雪することができる。
【００１８】
また、簡素な構成となっているため重量が軽く取り扱い易い。さらにフレームに備えられた車輪が屋根の上で転がることによって動きが軽くなり、少しの力で雪降ろし具を押し上げることができるため、作業者の負担を軽減することができる。
【００１９】
また、切り取られた雪は軒先から下がったシート部材に沿って落下するため、作業者にぶつかることがなく、安全である。
【００２０】
さらに、上述した特許文献２及び特許文献３に開示された雪降ろし具は、平板状の雪切り板や、直方体の除雪用筐体等、面で雪を切り取るものであるため、屋根に向かって押し上げるときに、雪降ろし具本体の角度を一定に保つ必要があり、角度が違っていたり、凹凸のある屋根に用いたりすると、一部雪が残ってしまうが、本考案によれば、フレームの部分で雪を切り取るため、雪降ろし具をどのような角度で押し上げても同じように雪を切り取ることができ、凹凸のある屋根であっても大部分の雪を除雪することができる。従って、取り扱いが簡易であり、除雪作業の効率を向上させることができる。
【００２１】
（２）  前記フレームの上端は、その中央部が屈折してなることを特徴とする雪降ろし具。
【００２２】
本考案によれば、フレームの上端は、その中央部が屈折してなることとしたので、耐久性の高い雪降ろし具を提供することができる。
【００２３】
すなわち、本考案に係る雪降ろし具は、そのフレームで雪を切り取るため、フレーム上端に接続された柄を作業者が持って押し上げる際に、その接続部分に負荷がかかるが、フレームの上端の中央部を屈折させることによって接続部分の強度が上がり、硬い雪を切り取る場合であっても、フレームの破損を防止することができ、ひいては耐久性の高い雪降ろし具を提供することができる。
【００２４】
（３）  前記柄には、間接部が備えられ、前記柄の屈折角度を調節して固定することを特徴とする雪降ろし具。
【００２５】
本考案によれば、柄には間接部が備えられ、柄の屈折角度を調節して固定することとしたので、雪降ろし具の柄を、屋根等の形状に合わせ、作業者が作業に適した角度に調節して固定することができる。作業者は楽な姿勢で作業をすることができるため、除雪作業の効率を向上させることができる。
【００２６】
（４）  前記柄には、長さ調整部が備えられ、前記柄の長さを調節して固定することを特徴とする雪降ろし具。
【００２７】
本考案によれば、柄には長さ調整部が備えられ、柄の長さを調節して固定することとしたので、雪降ろし具の柄を、屋根等の高さに合わせ、作業者が作業に適した長さに調節して固定することができる。作業者は楽な姿勢で作業をすることができるため、除雪作業の効率を向上させることができる。
【００２８】
（５）  前記フレーム及び前記柄は、グラスファイバーによって形成されていることを特徴とする雪降ろし具。
【００２９】
本考案によれば、フレーム及び柄は、グラスファイバーによって形成されていることとしたので、雪降ろし具の総重量を軽量化することができ、加えて、強度の高い雪降ろし具を提供することができる。
【考案の効果】
【００３０】
以上説明したように、本考案は、軒先から屋根に向けて押し上げることによって、屋根の上の雪がフレームによって切り取られ、シート部材の上に乗って落下するので、屋根に上ることなく雪を降ろすことができ、切り取られた雪が作業者にぶつかることなく、安全に除雪することができる。また、軽い素材で簡素な構成からなっており、柄の屈折角度や長さを調節して固定することができるので、容易に取り扱うことができ、除雪作業における作業者の負担を軽減することができる。
【考案を実施するための最良の形態】
【００３１】
以下、本考案を実施するための最良の形態について、図面に基づいて説明する。
【００３２】
［外観構成］
図１は、本考案の実施の形態に係る雪降ろし具１０の斜視図を示す図である。
【００３３】
図１において、雪降ろし具１０は、主に、フレーム１と、柄２と、シート部材３と、車輪４と、から構成されている。
【００３４】
フレーム１は、上端の中央部がくの字型に屈折しており、その中央部に柄２が接続されている。フレーム１の下端には、シート部材３が支持され、１対の車輪４が備えられている。柄２には、間接部５と、長さ調整部６が備えられ、柄２の下端には、グリップ７が備えられている。なお、フレーム１の形状は単なる四角形状であってもよく、形状は様々なものを採用することができる。
【００３５】
雪降ろし具１０を押し上げると、雪はフレーム１によって上下左右を切り取られる。フレーム１は、その左右の雪切り部１ａが細い平板状になっており、雪を切り取りやすい形状になっている。また、フレーム１の下端に備えられた車輪４によって、雪降ろし具１０は屋根等の上をスムーズに動き、大きな力を要することなく、雪降ろし具１０を押し上げることができる。
【００３６】
フレーム１によって切り取られた雪は、シート部材３の上に乗り、シート部材３に沿って滑り落ちる。シート部材３は、プラスチック等の滑りやすく柔らかい素材からなっており、屋根等の形状に合わせてその形状が変化する。軒先にシート部材３の下端が出ていれば、シート部材３は軒先から垂れる状態となり、切り取られた雪は、垂れたシート部材３に沿って、軒先の真下に落下することになる。また、雪降ろし具１０を凹凸のある屋根に用いた場合には、シート部材３はその屋根に沿った形状になるため、凹部に雪を残すことなく、除雪することができる。
【００３７】
柄２には、間接部５と長さ調整部６が備えられており、間接部５によって柄の屈折角度を、長さ調整部６によって柄の長さを調節、固定する。また、柄２の下端にグリップ７を備えることによって、作業時に柄２が滑りにくく、作業がし易くなる。
【００３８】
図２は、柄２に備えられた間接部５を示す斜視図である。
【００３９】
図２において、間接部５は、角度ストッパー８と、取っ手部９を備えている。作業者は、作業に適した角度に間接部５を調節し、角度ストッパー８で固定する（図２（ａ））。間接部５はどのような角度にも調節することができ（図２（ｂ）（ｃ））、雪降ろし具１０を収納する場合や、あまり高さのない場所を除雪する場合には、柄２を折りたたんで固定することも可能である（図２（ｃ））。取っ手部９を設けたことによって、柄２を折りたたんで使用する場合の操作性が良くなる。
【００４０】
なお、フレーム１及び柄２の材質は、グラスファイバーである。軽量で強度の高い材質にすることによって、雪降ろし具１０全体の総重量を軽量化することができ、加えて、強度の高いものとすることができる。その他の材質としては、プラスチック、アルミニウム、チタン、合成樹脂など、様々なものを用いることが可能である。
【００４１】
［変形例］
図３は、本考案に係る雪降ろし具の別の実施形態を示す図である。
【００４２】
図３（ａ）に示す雪降ろし具２０は、フレーム１の左右の長さを長く形成したものであり、厚みのある雪を除雪することができる。
【００４３】
また、図３（ｂ）に示す雪降ろし具３０は、フレーム１の上端及び下端の長さを長く形成したものであり、幅広い範囲の雪を除雪することができる。
【００４４】
なお、フレーム１の形状は、上述したものに限られるものではなく、様々な形態とすることが可能であり、雪を切り取ることができればよい。
【００４５】
図４は、本考案の第２の実施の形態に係る雪降ろし具１０'の斜視図を示す図である。
【００４６】
図４に示す雪降ろし具１０'は、図１に示す雪降ろし具１０とほぼ同様の構成からなるので、その説明を省略するが、差異点は、シート部材３の取り付け態様にある。すなわち、図１に示す雪降ろし具１０は、フレーム１からみて柄２の取付方向にシート部材３が位置しており、柄２を使用者が押すことで、フレーム１による雪の切り取り機能が発揮され、切り取られた雪がシート部材３上を滑り落ちる。一方、図４に示す雪降ろし具１０'は、フレーム１からみて柄２の取付方向とは反対側にシート部材３が位置しており、柄２を使用者が引くことで、フレーム１による雪の切り取り機能が発揮され、切り取られた雪がシート部材３上を滑り落ちる。
【００４７】
なお、シート部材３の位置は、雪降ろし具１０，１０によって固定されているものであってもよく、また、適宜位置決めを使用者が行えるように変更できるものであってもよい。
【００４８】
［使用方法］
図５は、本考案の実施の形態に係る雪降ろし具１０を使った除雪作業の様子を示す図である。また、図６は、本考案の第２の実施の形態に係る雪降ろし具１０'を使った除雪作業の様子を示す図である。具体的には、地上（階下）から屋根の上の雪を降ろす作業の様子を示しているのが図５で、屋内やベランダ、バルコニー等から屋根の上の雪を降ろす作業の様子を示しているのが図６である。
【００４９】
本考案の実施の形態に係る雪降ろし具１０を使用する際には、まず、除雪する場所の高さや屋根等の傾斜角度に合わせて、柄２の間接部５と長さ調整部６を操作し、柄２を作業に適した屈折角度及び長さに調節して固定する。また、雪降ろし具１０'を使用する際にも同様の調整をする。
【００５０】
次いで、雪降ろし具１０を屋根５０の軒先７０から屋根５０に沿って押し上げる。また、雪降ろし具１０'を屋根５０の軒先７０から屋根５０に沿って引き上げる。このとき、グリップ７を握ることで手が滑りにくくなり、手袋等をした状態でも作業がし易くなる。
【００５１】
雪降ろし具１０を押し上げるか雪降ろし具１０'を引き上げると、雪６０はフレーム１によって切り取られてシート部材３の上に乗る。シート部材３の上に雪６０が乗った状態で、雪降ろし具１０を軽く揺すると、雪６０はシート部材３の上を滑り落ちる。または、シート部材３上の雪６０がある程度の重みになると、その重みで自然に滑り落ちる。雪６０は、シート部材３に沿って滑り落ち、軒先７０から垂れたシート部材３に沿って、軒先７０の真下に落下する。
【００５２】
以上説明したように、本実施形態に係る雪降ろし具によれば、軽量かつ強度の高い雪降ろし具を用いて、作業者が使用しやすい屈折角度及び長さで作業をすることができ、容易に取り扱うことができるため、作業者の負担を軽減することができる。また、切り取られて落下した雪が作業者にぶつかることがないため、安全に作業をすることができる。
【産業上の利用可能性】
【００５３】
本考案に係る雪降ろし具は、屋根に上ることなく安全に作業をすることができ、容易に取り扱うことができ、除雪作業における作業者の負担を軽減することができるものとして有用である。
【図面の簡単な説明】
【００５４】
【図１】本考案の実施の形態に係る雪降ろし具の斜視図を示す図である。
【図２】柄に備えられた間接部を示す斜視図である。
【図３】本考案に係る雪降ろし具の別の実施形態を示す図である。
【図４】本考案の第２の実施の形態に係る雪降ろし具の斜視図を示す図である。
【図５】本考案の実施の形態に係る雪降ろし具を使った除雪作業の様子を示す図である。
【図６】本考案の第２の実施の形態に係る雪降ろし具を使った除雪作業の様子を示す図である。
【符号の説明】
【００５５】
１    フレーム
２    柄
３    シート部材
４    車輪
５    間接部
６    長さ調整部
７    連結体
７    グリップ
８    角度ストッパー
９    取っ手部
１０，１０'  雪降ろし具
２０  雪降ろし具（実施例）
３０  雪降ろし具（実施例）
５０  屋根
６０  雪
７０  軒先
【図２】
0003120880.tif 000003
【図１】
0003120880.tif 000004
【図３】
0003120880.tif 000005
【図４】
0003120880.tif 000006
【図５】
0003120880.tif 000007
【図６】
0003120880.tif 000008